(57)【要約】【課題】誤表示を低減する。【解決手段】表示装置は、駆動信号を印加することで表示の書き換えが可能であり、メモリ性を有する表示を行う表示パネルと、ユーザーによる押下により操作されるスイッチ部と、スイッチ部が押下される際の動き、及びスイッチ部が押下された状態から戻される際の動きに基づいて、電力を発電する発電部と、少なくとも、スイッチ部が押下された状態であるか否か示す押下情報を記憶する書き換え可能な不揮発性記憶部と、発電部が発電した電力により自装置が動作する制御部であって、押下情報に基づいて、スイッチ部が押下された後の動作状態である第１の動作状態と、スイッチ部が戻された後の動作状態である第２の動作状態とのいずれの状態であるかを判定し、表示パネルの表示を、スイッチ部の押下による操作に応じた情報に書き換える処理を、第１の動作状態と、第２の動作状態とで分割して実行する制御を行う制御部とを備える。【選択図】図１
2020126150.tif 000002
【特許請求の範囲】
【請求項１】
駆動信号を印加することで表示の書き換えが可能であり、メモリ性を有する表示を行う表示パネルと、
ユーザーによる押下により操作されるスイッチ部と、
前記スイッチ部が押下される際の動き、及び前記スイッチ部が押下された状態から戻される際の動きに基づいて、電力を発電する発電部と、
少なくとも、前記スイッチ部が押下された状態であるか否か示す押下情報を記憶する書き換え可能な不揮発性記憶部と、
前記発電部が発電した前記電力により自装置が動作する制御部であって、前記不揮発性記憶部が記憶する前記押下情報に基づいて、前記スイッチ部が押下された後の動作状態である第１の動作状態と、前記スイッチ部が戻された後の動作状態である第２の動作状態とのいずれの状態であるかを判定し、前記表示パネルの表示を、前記スイッチ部の押下による操作に応じた情報に書き換える処理を、前記第１の動作状態と、前記第２の動作状態とで分割して実行する制御を行う制御部と
を備えることを特徴とする表示装置。
【請求項２】
前記制御部は、
前記第１の動作状態である場合に、前記駆動信号を第１の期間、前記表示パネルに印加させるとともに、前記押下情報として、前記スイッチ部が押下された状態であることを示す情報を前記不揮発性記憶部に記憶させ、
前記第２の動作状態である場合に、前記第１の期間と合算した印加期間が、前記表示パネルの書き換えに必要な期間以上になるように、前記駆動信号を第２の期間、前記表示パネルに印加させるとともに、前記押下情報として、前記スイッチ部が押下された状態でないことを示す情報を前記不揮発性記憶部に記憶させる
ことを特徴とする請求項１に記載の表示装置。
【請求項３】
前記不揮発性記憶部は、書き換え前の表示情報をさらに記憶し、
前記制御部は、
前記表示パネルの表示を、前記操作に応じた情報に書き換える処理を実行する際に、前記不揮発性記憶部が記憶する前記書き換え前の表示情報から前記操作に応じた情報に変更になった部分の表示を書き換えるように、前記駆動信号を前記表示パネルに印加させる
ことを特徴とする請求項１又は請求項２に記載の表示装置。
【請求項４】
前記発電部が発電した前記電力の電圧の極性を検出する極性検出部を備え、
前記制御部は、前記極性検出部が検出した前記極性と、前記押下情報とに基づいて、前記第１の動作状態と、前記第２の動作状態とのいずれの状態であるかを判定する
ことを特徴とする請求項１から請求項３のいずれか一項に記載の表示装置。
【請求項５】
前記発電部が発電した前記電力を整流した電源電圧を計測する電圧計測部を備え、
前記制御部は、前記電圧計測部が計測した前記電源電圧が、所定の電圧以上になった場合に、前記押下情報に基づいて、前記第１の動作状態と、前記第２の動作状態とのいずれの状態であるかを判定する
ことを特徴とする請求項１から請求項３のいずれか一項に記載の表示装置。
【請求項６】
請求項１から請求項５のいずれか一項に記載の表示装置と、
外部装置に前記スイッチ部の押下による操作に基づく送信情報を送信する送信部と
を備え、
前記制御部は、少なくとも、前記第１の動作状態か、前記第２の動作状態かのいずれかの状態において、前記送信部により前記送信情報を送信させる
ことを特徴とする電子機器。
【請求項７】
前記外部装置から送信された情報を受信情報として受信する受信部をさらに備え、
前記制御部は、
前記第１の動作状態において、前記送信部を動作させ、
前記第２の動作状態において、前記受信部を動作させ、
前記外部装置が前記送信情報を正常に受信したことを示す前記受信情報を前記受信部が受信した場合に、前記スイッチ部の押下による操作に応じた情報に書き換える前記駆動信号を第２の期間、前記表示パネルに印加させ、
前記外部装置が前記送信情報を正常に受信したことを示す前記受信情報を前記受信部が受信できなかった場合に、前記表示パネルの表示を、前記スイッチ部の押下による操作に応じた情報に変更する前の表示状態に戻すように、前記駆動信号を前記表示パネルに印加させる
ことを特徴とする請求項６に記載の電子機器。
【発明の詳細な説明】
【技術分野】
【０００１】
本発明は、表示装置、及び電子機器に関する。
【背景技術】
【０００２】
近年、電子ペーパーディスプレイなどの電気泳動表示素子を用いた表示装置が知られている。また、スイッチを操作する際の動作を利用して発電した電力で動作するリモコン装置などの電子機器において、このような表示装置を使用する試みが行われている。
【先行技術文献】
【特許文献】
【０００３】
【特許文献１】特開２０１７−２０２８４号公報
【特許文献２】特開２０１１−１７２１１１号公報
【発明の概要】
【発明が解決しようとする課題】
【０００４】
しかしながら、上述したような従来の電子機器では、例えば、スイッチを押下したときと、スイッチを戻したときとで発電量にばらつきが生じて、発電量を有効に利用できない場合があった。また、従来の電子機器では、例えば、スイッチを押下した後の保持期間が長いと、押下の際に発電した電力を使い切って、表示装置の画面の書き換えが上手くできない場合があった。このように、従来の電子機器では、表示に誤表示が生じる場合があった。
【０００５】
本発明は、上記問題を解決すべくなされたもので、その目的は、誤表示を低減することができる表示装置、及び電子機器を提供することにある。
【課題を解決するための手段】
【０００６】
上記問題を解決するために、本発明の一態様は、駆動信号を印加することで表示の書き換えが可能であり、メモリ性を有する表示を行う表示パネルと、ユーザーによる押下により操作されるスイッチ部と、前記スイッチ部が押下される際の動き、及び前記スイッチ部が押下された状態から戻される際の動きに基づいて、電力を発電する発電部と、少なくとも、前記スイッチ部が押下された状態であるか否か示す押下情報を記憶する書き換え可能な不揮発性記憶部と、前記発電部が発電した前記電力により自装置が動作する制御部であって、前記不揮発性記憶部が記憶する前記押下情報に基づいて、前記スイッチ部が押下された後の動作状態である第１の動作状態と、前記スイッチ部が戻された後の動作状態である第２の動作状態とのいずれの状態であるかを判定し、前記表示パネルの表示を、前記スイッチ部の押下による操作に応じた情報に書き換える処理を、前記第１の動作状態と、前記第２の動作状態とで分割して実行する制御を行う制御部とを備えることを特徴とする表示装置である。
【０００７】
また、本発明の一態様は、上記に記載の表示装置と、外部装置に前記スイッチ部の押下による操作に基づく送信情報を送信する送信部とを備え、前記制御部は、少なくとも、前記第１の動作状態か、前記第２の動作状態かのいずれかの状態において、前記送信部により前記送信情報を送信させることを特徴とする電子機器である。
【発明の効果】
【０００８】
本発明によれば、誤表示を低減することができる。
【図面の簡単な説明】
【０００９】
【図１】第１の実施形態によるリモコン装置の一例を示すブロック図である。
【図２】第１の実施形態による表示装置の駆動波形の一例を示す図である。
【図３】第１の実施形態による表示装置の新たな表示への書き換え例を示す図である。
【図４】第１の実施形態によるリモコン装置の動作の一例を示すフローチャートである。
【図５】第１の実施形態によるリモコン装置のスイッチ部の押下の戻りが遅い場合の動作の一例を示すタイミングチャートである。
【図６】第１の実施形態によるリモコン装置のスイッチ部の押下の戻りが早い場合の動作の一例を示すタイミングチャートである。
【図７】第２の実施形態によるリモコン装置の一例を示すブロック図である。
【図８】第２の実施形態によるリモコン装置の動作の一例を示すフローチャートである。
【図９】第２の実施形態によるリモコン装置のスイッチ部の押下の戻りが早い場合の動作の一例を示すタイミングチャートである。
【図１０】第３の実施形態によるリモコン装置の一例を示すブロック図である。
【図１１】第３の実施形態によるリモコン装置の動作の一例を示すフローチャートである。
【図１２】第３の実施形態によるリモコン装置のスイッチ部の押下の戻りが遅い場合、且つ、正常送信された場合の動作の一例を示すタイミングチャートである。
【図１３】第３の実施形態によるリモコン装置のスイッチ部の押下の戻りが遅い場合、且つ、正常送信されていない場合の動作の一例を示すタイミングチャートである。
【発明を実施するための形態】
【００１０】
以下、本発明の一実施形態による電子機器、及び表示装置について図面を参照して説明する。
【００１１】
［第１の実施形態］
図１は、第１の実施形態によるリモコン装置１（リモートコントロール装置）の一例を示すブロック図である。
図１に示すように、リモコン装置１（電子機器の一例）は、スイッチ部２と、無線通信部３と、表示駆動部４と、電子ペーパーパネル５と、整流部１１と、蓄電部１２と、リセット部１３と、極性検出部１４と、不揮発性記憶部１５と、制御部１６とを備える。リモコン装置１は、無線通信を利用して、制御対象装置２００の操作を行う遠隔操作装置である。
【００１２】
なお、本実施形態において、スイッチ部２と、表示駆動部４と、電子ペーパーパネル５と、整流部１１と、蓄電部１２と、リセット部１３と、極性検出部１４と、不揮発性記憶部１５と、制御部１６とは、表示装置１００に対応する。
【００１３】
スイッチ部２は、例えば、スイッチや操作ボタンなどであり、ユーザーの操作を受け付ける。スイッチ部２は、例えば、電子ペーパーパネル５の表示を書き換える契機となる操作が行われる。本実施形態では、例えば、スイッチ部２が操作されることで、操作に応じた表示に、電子ペーパーパネル５が切り替わるものとする。
また、スイッチ部２は、トリガ出力部２１と、自己発電部２２とを備えている。
【００１４】
トリガ出力部２１は、スイッチ部２のスイッチがユーザーによる押下により操作された場合に、トリガ信号として、スイッチ部２が押下されたことを示す情報（例えば、スイッチのオンやオフ状態信号やスイッチ番号）を出力する。
【００１５】
自己発電部２２は、スイッチ部２の操作によって電力を発電する。自己発電部２２は、例えば、スイッチ部２を押下することにより、電磁誘導によってリモコン装置１の各部を動作させる電力を発電する。すなわち、自己発電部２２は、スイッチ部２が押下される際の動き、及びスイッチ部２が押下された状態から戻される際の動きに基づいて、電力を発電する。自己発電部２２は、例えば、不図示のコイル及び磁石で構成され、スイッチ部２が押下される際の動き、及びスイッチ部２が戻される際の動きによる電磁誘導により電力を発電する。
【００１６】
整流部１１は、例えば、ダイオードブリッジなどの全波整流回路であり、自己発電部２２が電磁誘導により発電した電力を整流して、蓄電部１２に供給する。
蓄電部１２は、例えば、コンデンサなどであり、自己発電部２２が発電し、整流部１１が整流した電力を蓄積する。自己発電部２２が発電した電力は、蓄電部１２を介して、電源電圧としてリモコン装置１の各部に供給される。図１において、各部に供給される電源電圧は太線で示し、デジタル系の信号と、電子ペーパーパネル５を駆動する駆動信号は、細線で示している。
【００１７】
リセット部１３は、例えば、パワーオンリセット回路であり、制御部１６にリセット信号を出力する。リセット部１３は、蓄電部１２から供給される電源電圧が、制御部１６が動作可能な所定の電圧以上になった場合に、制御部１６のリセットを解除して起動させる。また、リセット部１３は、電源電圧が、制御部１６が動作可能な所定の電圧未満に低下した場合に、制御部１６をリセットして動作を停止させる。
【００１８】
極性検出部１４は、自己発電部２２が発電した電力の電圧の極性を検出する。自己発電部２２は、スイッチ部２が押下される際に発電された電力と、スイッチ部２が戻される際に発電された電力とで、電圧の極性が異なるため、極性検出部１４は、当該電圧の極性を検出する。極性検出部１４は、極性の検出結果を制御部１６に出力する。
【００１９】
不揮発性記憶部１５は、例えば、ＦｅＲＡＭ（Ferroelectric Random Access Memory）、ＥＥＰＲＯＭ（Electrically Erasable Programmable Read-Only Memory）、フラッシュメモリなどの電気的に書き換え可能な不揮発性メモリである。不揮発性記憶部１５は、押下フラグと、表示書換情報と、書換前表示情報とを記憶する。ここで、押下フラグ（押下情報の一例）は、スイッチ部２が押下された状態であるか否かを示すフラグである。押下フラグは、例えば、“０”である場合に、スイッチ部２が押下されていない状態を示し、“１”である場合に、スイッチ部２が押下された状態を示す。
【００２０】
また、表示書換情報は、今回の電子ペーパーパネル５の表示の書き換えにより書き換える（表示させる）表示情報である。また、書換前表示情報は、前回の電子ペーパーパネル５の表示の書き換えにより書き換えた表示情報であり、現在、電子ペーパーパネル５に表示中の表示情報である。
【００２１】
電子ペーパーパネル５（表示パネルの一例）は、例えば、視認側から順に、共通電極と、マイクロカップ方式やマイクロカプセル方式の電気泳動表示素子と、表示画素電極とを備えた電子ペーパーのパネルであり、駆動信号を印加することで表示の書き換えが可能であり、駆動信号が無い状態でも表示状態を継続できるメモリ性を有する表示を行うことが可能である。電子ペーパーパネル５は、不図示のマイクロカップ又はマイクロカプセルを有し、その内部に、例えば、透明媒体（不図示）と、帯電粒子である白粒子（不図示）及び黒粒子（不図示）とが封入されている。電子ペーパーパネル５は、共通電極と表示画素電極との間に駆動信号を印加することで、白粒子（不図示）及び黒粒子（不図示）を電気泳動により移動させて、「白」又は「黒」を表示する。
【００２２】
表示駆動部４は、例えば、ドライバＩＣであり、制御部１６の制御に基づいて、電子ペーパーパネル５の表示を書き換える駆動信号を生成し、当該駆動信号を電子ペーパーパネル５に印加する。表示駆動部４は、画像バッファ４１と、昇圧回路４２と、ドライブ回路４３とを備えている。
【００２３】
画像バッファ４１は、例えば、レジスタ回路であり、表示の書き換えに用いる情報を記憶する。画像バッファ４１は、現在表示している画像情報（書換前表示情報）と、今回書き換える画像情報（表示書換情報）とを記憶する。なお、画像バッファ４１は、例えば、シフトレジスタとして構成されており、現在表示している画像情報、今回書き換える画像情報の順番に供給されることで、書換前表示バッファと表示書換バッファとに情報を記憶する。具体的には、現在表示している画像情報を表示書換バッファに書き込んでから、シフトコマンドで、書換前表示バッファにコピ−した後、今回書き換える画像情報を表示書換バッファに記憶する。
【００２４】
昇圧回路４２は、電子ペーパーパネル５の書き換えに用いる駆動信号に必要な駆動電圧を昇圧により生成する。昇圧回路４２は、例えば、蓄電部１２から供給される電源電圧から、駆動信号用の駆動電圧＋Ｖ１及び駆動電圧−Ｖ１を生成する。
【００２５】
ドライブ回路４３は、画像バッファ４１が記憶する現在表示している画像情報と、今回書き換える画像情報とから演算し表示画素に対する駆動信号を、昇圧回路４２が生成した駆動電圧を用いて生成し、電子ペーパーパネル５に印加する。
【００２６】
制御部１６は、不図示のＣＰＵ（Central Processing Unit）及び記憶部を含み、リモコン装置１を統括的に制御する。制御部１６は、記憶部に記憶されたプログラムを実行させることで各種処理を実行する。制御部１６は、例えば、ユーザーによるスイッチ部２の操作に応じて、電子ペーパーパネル５の表示を変更する。
【００２７】
また、制御部１６は、不揮発性記憶部１５が記憶する押下フラグに基づいて、スイッチ部２が押下された後の動作状態である第１の動作状態ＳＴ１と、スイッチ部２が戻された後の動作状態である第２の動作状態ＳＴ２とのいずれの状態であるかを判定する。制御部１６は、電子ペーパーパネル５の表示を、スイッチ部２の押下による操作に応じた情報に書き換える処理を、第１の動作状態ＳＴ１と、第２の動作状態ＳＴ２とで分割して実行する制御を行う。
【００２８】
例えば、制御部１６は、起動後に、不揮発性記憶部１５から押下フラグを読み出し、不揮発性記憶部１５が記憶する押下フラグが“０”である場合に、スイッチ部２が押下された後の動作状態である第１の動作状態ＳＴ１であると判定する。また、制御部１６は、起動後に、不揮発性記憶部１５から押下フラグを読み出し、不揮発性記憶部１５が記憶する押下フラグが“１”である場合に、スイッチ部２が戻された後の動作状態である第２の動作状態ＳＴ２であると判定する。
【００２９】
なお、制御部１６は、スイッチ部２の押下と、スイッチ部２の戻しとが連続して行われた場合には、再起動されないため、極性検出部１４が検出した極性の検出結果に基づいて、第１の動作状態ＳＴ１から第２の動作状態ＳＴ２に移行したことを判定する。制御部１６は、押下フラグが“１”であり、さらに極性の検出結果が、例えば、スイッチ部２が戻された際の発電を示す、負電圧である場合に、第２の動作状態ＳＴ２であると判定する。
このように、制御部１６は、極性検出部１４が検出した極性と、押下フラグとに基づいて、第１の動作状態ＳＴ１と、第２の動作状態ＳＴ２とのいずれの状態であるかを判定する。
【００３０】
また、例えば、制御部１６は、第１の動作状態ＳＴ１である場合に、駆動信号を第１の期間、電子ペーパーパネル５に印加させるとともに、押下フラグとして、スイッチ部２が押下された状態であることを示す情報（例えば、“１”）を不揮発性記憶部１５に記憶させる。そして、制御部１６は、第１の動作状態ＳＴ１において、後述する無線通信部３の送信部３１により送信情報を送信させる。
【００３１】
また、例えば、制御部１６は、第２の動作状態ＳＴ２である場合に、第１の期間と合算した印加期間が、電子ペーパーパネル５の書き換えに必要な期間以上になるように、駆動信号を第２の期間、電子ペーパーパネル５に印加させる。この場合、制御部１６は、押下フラグとして、スイッチ部２が押下された状態でないことを示す情報（例えば、“０”）を不揮発性記憶部１５に記憶させる。
なお、駆動信号を印加する第１の期間と第２の期間とは、等しい時間間隔であってもよいし、書き換えに必要な期間を所定の割合で分割するようにしてもよい。
【００３２】
また、制御部１６は、電子ペーパーパネル５の表示を、操作に応じた情報に書き換える処理を実行する際に、不揮発性記憶部１５が記憶する書き換え前の表示情報（書換前表示情報）から操作に応じた情報に変更になった部分の表示を書き換えるように、駆動信号を電子ペーパーパネル５に印加させる。制御部１６は、操作に応じた情報を、表示書換情報として、不揮発性記憶部１５に記憶させる。また、不揮発性記憶部１５の書換前表示情報には、前回の書き換え情報が既に記憶されている。
【００３３】
制御部１６は、操作に応じた情報に書き換える処理を実行する際に、不揮発性記憶部１５が記憶する表示書換情報及び書換前表示情報を読み出して、表示駆動部４の画像バッファ４１に記憶させる。すなわち、制御部１６は、書換前表示情報を現在表示している画像情報として記憶させるとともに、表示書換情報を今回書き換える画像情報として画像バッファ４１に記憶させる。この状態で、制御部１６は、表示駆動部４に所定の期間（第１の期間、及び第２の期間）、駆動信号を電子ペーパーパネル５に印加させて、表示の書き換えを実行する。
【００３４】
また、制御部１６は、第２の動作状態ＳＴ２において、電子ペーパーパネル５の表示の書き換えを実行した後に、表示書換情報を、書換前表示情報として、不揮発性記憶部１５に記憶させる。
【００３５】
無線通信部３は、送信部３１を備える。無線通信部３は、例えば、無線通信により、制御対象装置２００と通信する。無線通信部３は、スイッチ部２が受け付けた操作に基づく操作情報（送信情報）を、送信部３１から制御対象装置２００に送信する。
送信部３１は、制御対象装置２００にスイッチ部２の押下による操作に基づく送信情報を送信する。
【００３６】
制御対象装置２００（外部装置の一例）は、例えば、リモコン装置１の操作によって操作される装置であり、例えばテレビや、エアコンや、洗浄機付きトイレなどである。
【００３７】
次に、図面を参照して、本実施形態におけるリモコン装置１の動作について説明する。
まず、図２及び図３を参照して、本実施形態における表示装置１００の駆動動作について説明する。
本実施形態では、表示装置１００は、３値（例えば、０Ｖと、駆動電圧＋Ｖ１と駆動電圧−Ｖ１）を同時に出力して表示の書き換えを行う。ここで、図２を参照して、表示駆動部４が電子ペーパーパネル５に出力する駆動信号について説明する。
【００３８】
図２は、本実施形態による表示装置１００の駆動波形の一例を示す図である。
図２に示す例は、共通電極に０Ｖを印加した場合の各表示画素電極への駆動信号を示している。ここで、「ＢＢ」は、現在表示されている色が黒で、新たな表示においても黒で表示される表示画素電極への駆動信号の波形を示している。「ＢＷ」は、現在表示されている色が黒で、新たな表示において白で表示される表示画素電極への駆動信号の波形を示している。「ＷＢ」は、現在表示されている色が白で、新たな表示において黒で表示される表示画素電極への駆動信号の波形を示している。「ＷＷ」は、現在表示されている色が白で、新たな表示においても白で表示される表示画素電極への駆動信号の波形を示している。
【００３９】
図２に示すように、色の変化がない表示画素には、「ＢＢ」と「ＷＷ」とのように、０Ｖの駆動電圧が印加される。すなわち、表示駆動部４は、色の変化がない表示画素（「ＢＢ」及び「ＷＷ」）に対して、０Ｖの駆動信号を印加する。
また、黒から白に変化する表示画素には、「ＢＷ」に示されるように、駆動電圧−Ｖ１が書き換え期間ＷＴ（時刻Ｔ１から時刻Ｔ２までの期間）、印加される。また、表示画素電極に負の電圧が印加されるため、例えば、負に帯電した白粒子が上側（共通電極側）に移動し、正に帯電した黒粒子が下側（表示画素電極側）に移動するので、視認側から見ると白く見える。
【００４０】
また、白から黒に変化する表示画素には、「ＷＢ」に示されるように、駆動電圧＋Ｖ１が書き換え期間ＷＴ（時刻Ｔ１から時刻Ｔ２までの期間）、印加される。表示画素電極に正の電圧が印加されるため、負に帯電した白粒子が下側（表示画素電極側）に移動し、正に帯電した黒粒子が上側（共通電極側）に移動するので、視認側から見ると黒く見える。
電子ペーパーパネル５の種類や、動作温度によって異なるが、駆動電圧Ｖ１は、例えば５Ｖ〜１５Ｖであり、書き換え期間ＷＴは、例えば、５０〜１０００ｍＳ（ミリ秒）である。
【００４１】
また、図３は、本実施形態による表示装置１００の新たな表示への書き換え例を示す図である。なお、図３に示す例では、電子ペーパーパネル５が、７セグメントタイプの表示を行う場合の一例について説明する。
図３に示す例では、電子ペーパーパネル５が、現在の表示が「２」である表示状態から、新たな表示「５」に表示を書き換える場合の一例を示している。
【００４２】
「２」から「５」に書き換える場合、領域Ａ１及び領域Ａ２の表示画素は変化しない。領域Ａ１は白から白であるため、表示駆動部４は、上述した「ＷＷ」の波形の駆動信号を領域Ａ１の表示画素に印加する。また、領域Ａ２の表示画素は黒から黒であるため、表示駆動部４は、上述した「ＢＢ」の波形の駆動信号を領域Ａ２の表示画素に印加する。
【００４３】
一方、領域Ａ３及び領域Ａ４の表示画素は変化する。領域Ａ３は白から黒に変化するため、表示駆動部４は、上述した「ＷＢ」の波形の駆動信号を領域Ａ３の表示画素に印加する。領域Ａ４は黒から白に変化するため、表示駆動部４は、「ＢＷ」の波形の駆動信号を領域Ａ４の表示画素に印加する。
【００４４】
次に、図４〜図６を参照して、本実施形態によるリモコン装置１の動作の一例について説明する。
図４は、本実施形態によるリモコン装置１の動作の一例を示すフローチャートである。
【００４５】
図４において、リモコン装置１では、まず、スイッチ部２が押下されると、自己発電部２２が発電し、自己発電部２２から電力を供給する（ステップＳ１０１）。自己発電部２２が発電した電力は、整流部１１が整流して、蓄電部１２を介して、電源電圧としてリモコン装置１の各部に供給される。
【００４６】
次に、リモコン装置１では、制御部１６を起動する（ステップＳ１０２）。すなわち、リセット部１３は、供給された電源電圧が、制御部１６が動作可能な所定の電圧以上になった場合に、制御部１６のリセットを解除して起動させる。これにより、制御部１６が起動し、動作を開始する。
【００４７】
次に、制御部１６は、不揮発性記憶部１５から押下フラグを読み出す（ステップＳ１０３）。
次に、制御部１６は、押下フラグが“０”であるか否かを判定する（ステップＳ１０４）。制御部１６は、押下フラグが“０”である場合（ステップＳ１０４：ＹＥＳ）に、処理をステップＳ１０５に進める。また、制御部１６は、押下フラグが“０”でない（“１”である）場合（ステップＳ１０４：ＮＯ）に、処理をステップＳ１１３に進める。
【００４８】
ステップＳ１０５において（押下フラグが“０”である場合）、リモコン装置１は、制御対象装置２００に送信情報を送信する。すなわち、制御部１６は、無線通信部３の送信部３１を動作させて、例えば、スイッチ部２が受け付けた操作に基づく操作情報（例えば、スイッチ番号）を送信情報として、送信部３１から制御対象装置２００へ送信させる。
【００４９】
次に、制御部１６は、不揮発性記憶部１５の押下フラグを“１”に更新する（ステップＳ１０６）。すなわち、制御部１６は、不揮発性記憶部１５の押下フラグに“１”を記憶させる。
次に、制御部１６は、不揮発性記憶部１５に表示書換情報を記憶させる（ステップＳ１０７）。制御部１６は、例えば、今回表示を書き換える表示情報（例えば、スイッチ番号）を、表示書換情報として、不揮発性記憶部１５に記憶させる。
【００５０】
次に、制御部１６は、電子ペーパーパネル５の表示を第１の期間、表示書換情報に書き換える処理を実行する（ステップＳ１０８）。制御部１６は、不揮発性記憶部１５が記憶する書換前表示情報を読み出し、表示駆動部４の画像バッファ４１に、書換前表示情報、表示書換情報の順に供給して、それぞれ、書換前表示バッファと表示書換バッファに書き込む。制御部１６は、表示駆動部４の昇圧回路４２を動作させ、第１の期間（例えば、書き換えに必要な期間の１／２の期間）、駆動信号をドライブ回路４３から電子ペーパーパネル５に印加し、その後、昇圧回路４２を停止する。
【００５１】
次に、制御部１６は、自己発電部２２の発電の極性が反転したか否かを確認する（ステップＳ１０９）。すなわち、制御部１６は、極性検出部１４の出力を確認して、自己発電部２２の発電電圧の極性が負電圧になったか否かを判定する。制御部１６は、自己発電部２２の発電の極性が反転した（極性が負電圧になった）場合（ステップＳ１０９：ＹＥＳ）に、スイッチ部２が戻されたと判定し、処理をステップＳ１１３に進める。なお、処理をステップＳ１１３に進める場合は、スイッチ部２の押下の戻りが早い場合に対応する。
また、制御部１６は、自己発電部２２の発電の極性が反転していない（極性が負電圧になっていない）場合（ステップＳ１０９：ＮＯ）に、スイッチ部２が戻されていないと判定し、処理をステップＳ１１０に進める。
【００５２】
ステップＳ１１０において、制御部１６は、電源電圧が動作下限電圧未満（例えば、２．５Ｖ未満）になったか否かを判定する。制御部１６は、リセット部１３のリセット信号により、電源電圧が動作下限電圧未満になったか否かを判定する。制御部１６は、電源電圧が動作下限電圧未満になった場合（ステップＳ１１０：ＹＥＳ）に、処理をステップＳ１１１に進める。また、制御部１６は、電源電圧が動作下限電圧以上である場合（ステップＳ１１０：ＮＯ）に、処理をステップＳ１０９に戻す。
【００５３】
ステップＳ１１１において、リモコン装置１は、制御部１６を停止する。すなわち、リセット部１３のリセット信号により、制御部１６の動作が停止される。リモコン装置１は、この状態で、ユーザーによって、次のスイッチ部２の押下戻りの操作が行われることを待つ。このとき、電源電圧が動作下限電圧未満となるため、画像バッファ４１の情報は、全て、消去される。
次に、ユーザーによって、スイッチ部２の押下戻りの操作が行われると、リモコン装置１は、スイッチ部２の押下戻りによる発電を開始する（ステップＳ１１２）。リモコン装置１は、ステップＳ１１２の処理後に、処理をステップＳ１０１に戻す。なお、処理をステップＳ１０１に戻す場合は、スイッチ部２の押下の戻りが遅い場合であり、制御部１６の動作が一旦停止した場合に対応する。
【００５４】
（ステップＳ１０９：ＹＥＳ）又は（ステップＳ１０４：ＮＯ）の場合、ステップＳ１１３において、制御部１６は、不揮発性記憶部１５の押下フラグを“０”に更新する。すなわち、制御部１６は、不揮発性記憶部１５の押下フラグに“０”を記憶させる。
【００５５】
次に、制御部１６は、電子ペーパーパネル５の表示を第２の期間、表示書換情報に書き換える処理を実行する（ステップＳ１１４）。制御部１６は、不揮発性記憶部１５が記憶する表示書換情報及び書換前表示情報を読み出し、表示駆動部４の画像バッファ４１に、書換前表示情報、表示書換情報の順に供給して、それぞれ、書換前表示バッファと表示書換バッファに書き込む。制御部１６は、表示駆動部４の昇圧回路４２を動作させ、第２の期間（例えば、書き換えに必要な期間の１／２の期間）、駆動信号をドライブ回路４３から電子ペーパーパネル５に印加し、その後、昇圧回路４２を停止する。
【００５６】
次に、制御部１６は、不揮発性記憶部１５の書換前表示情報を表示書換情報に更新する（ステップＳ１１５）。制御部１６は、例えば、今回表示を書き換えた表示情報（例えば、スイッチ番号）を、書換前表示情報として不揮発性記憶部１５に記憶させる。ステップＳ１１５の処理後に、制御部１６は、処理を終了する。
【００５７】
なお、上述した図４に示す処理において、ステップＳ１０２からステップＳ１０８までの処理が、第１の動作状態ＳＴ１に対応する。また、ステップＳ１０３からステップＳ１０４の処理を経由して、ステップＳ１１３からステップＳ１１５までの処理が、第２の動作状態ＳＴ２に対応する。
また、上述した図４に示す例では、制御部１６は、極性検出部１４が検出した極性と、押下フラグとに基づいて、第２の動作状態ＳＴ２であることを判定しているが、第１の動作状態ＳＴ１についても、極性検出部１４が検出した極性と、押下フラグとに基づいて判定してもよい。
なお、極性検出部１４が検出した極性が事前に決まっていれば、制御部１６は、極性検出部１４だけでも第１の動作状態ＳＴ１と第２の動作状態ＳＴ２とを判定できるが、押下フラグと極性反転に基づくことで、極性検出部１４の正負の関係については、どちらでもよく、プログラムを簡素化できる。
【００５８】
次に、図５を参照して、リモコン装置１のスイッチ部２の押下の戻りが遅い場合の動作について詳細に説明する。
図５は、本実施形態によるリモコン装置１のスイッチ部２の押下の戻りが遅い場合の動作の一例を示すタイミングチャートである。
【００５９】
図５において、縦軸は、上から順に、「自己発電部２２の発電電圧」、「電源電圧」、「制御部１６の動作」、「押下フラグ」、「表示書換情報」、「書換前表示情報」、「表示駆動部４の駆動動作」、及び「無線通信部３の動作」を示している。「自己発電部２２の発電電圧」、及び「電源電圧」は、電圧値を示し、「制御部１６の動作」、「表示駆動部４の駆動動作」、及び「無線通信部３の動作」は、各部の動作状態を示している。また、「押下フラグ」、「表示書換情報」、「書換前表示情報」は、不揮発性記憶部１５が記憶する各情報の状態を示している。また、横軸は、時間を示している。また、波形Ｗ１は、自己発電部２２の発電電圧の波形を示し、波形Ｗ２は、蓄電部１２が供給する電源電圧の波形を示している。
【００６０】
なお、「押下フラグ」、「表示書換情報」、及び「書換前表示情報」の初期状態は、“０”、“０１”、及び“０１”であるものとする。また、スイッチ部２を押下された状態の「表示書換情報」は、”０２”になるものとする。
スイッチ部２が押下されて、自己発電部２２が発電を開始し、時刻Ｔ１１において、電源電圧が動作可能な電圧Ｖｄに達すると（図５の波形Ｗ２参照。例えば２．５Ｖ）、リセット部１３が制御部１６のリセットを解除して、制御部１６が起動して動作状態になる。これにより、「制御部１６の動作」が“停止”から“動作”になる。
【００６１】
次に、制御部１６は、起動すると、まず、「押下フラグ」を不揮発性記憶部１５から読み出して確認する。ここでは、「押下フラグ」が“０”であるため、制御部１６は、第１の動作状態ＳＴ１の処理を実行する。すなわち、制御部１６は、まず、無線通信部３の送信部３１を動作させて、スイッチ部２の動作に対応するスイッチ番号（“０２”）を送信する。これにより、「無線通信部３の動作」が“送信”になる。
【００６２】
次に、制御部１６は、送信部３１による送信が完了すると、不揮発性記憶部１５の「押下フラグ」を“１”にするとともに、不揮発性記憶部１５の「表示書換情報」をスイッチ部２の動作に対応する“０２”に変更する。
【００６３】
次に、時刻Ｔ１２において、制御部１６は、表示駆動部４を動作させて、電子ペーパーパネル５の表示の書き換えを実行する。すなわち、制御部１６は、不揮発性記憶部１５から「書換前表示情報」の”０１”を読み出し、表示駆動部４の画像バッファ４１に、「書換前表示情報」の“０１”、「表示書換情報」の“０２”の順に供給して、昇圧回路４２を動作し、ドライブ回路４３から電子ペーパーパネル５に駆動信号の印加を開始させる。これにより、「表示駆動部４の駆動動作」が“動作”になる。
【００６４】
また、時刻Ｔ１３において、駆動信号の印加期間が、第１の期間ＷＴ１（例えば、書き換えに必要な期間の１／２の期間）に達すると、表示駆動部４は、駆動信号の印加を停止し、昇圧回路４２の動作を停止し、「表示駆動部４の駆動動作」が“停止”になる。
次に、制御部１６は、極性検出部１４の検出結果を確認し、自己発電部２２の発電の極性が反転する（極性が負電圧になる）のを待つが、この例では、スイッチ部２の押下の戻りが遅い場合の例であるため、時刻Ｔ１４において、電源電圧が動作可能な電圧Ｖｄ未満に低下するため、制御部１６は、動作を停止する。
【００６５】
次に、スイッチ部２の押下が戻されて、自己発電部２２が再び発電を開始し、時刻Ｔ１５において、電源電圧が動作可能な電圧Ｖｄに達すると（図５の波形Ｗ２参照）、リセット部１３が制御部１６のリセットを解除して、制御部１６が再び起動して動作状態になる。これにより、「制御部１６の動作」が“停止”から“動作”になる。
【００６６】
次に、制御部１６は、起動すると、まず、不揮発性記憶部１５から「押下フラグ」を読み出して確認する。ここでは、「押下フラグ」が“１”であるため、制御部１６は、第２の動作状態ＳＴ２の処理を実行する。制御部１６は、「押下フラグ」を“０”にするとともに、時刻Ｔ１６において、表示駆動部４を動作させて、電子ペーパーパネル５の表示の書き換えを実行する。すなわち、制御部１６は、不揮発性記憶部１５から、「書換前表示情報」の“０１”と「表示書換情報」の“０２”を読み出し、表示駆動部４の画像バッファ４１に、「書換前表示情報」の“０１”、「表示書換情報」の“０２”の順に供給して、それぞれ、書換前表示バッファと表示書換バッファとに書き込み、昇圧回路４２を動作させ、ドライブ回路４３から電子ペーパーパネル５に駆動信号の印加を開始させる。これにより、「表示駆動部４の駆動動作」が“動作”になる。
【００６７】
また、時刻Ｔ１７において、駆動信号の印加期間が、第２の期間ＷＴ２（例えば、書き換えに必要な期間の１／２の期間）に達すると、表示駆動部４は、駆動信号の印加を停止し、昇圧回路４２の動作を停止し、「表示駆動部４の駆動動作」が“停止”になる。
次に、制御部１６は、電子ペーパーパネル５の表示の書き換えが完了すると、不揮発性記憶部１５の「書換前表示情報」をスイッチ部２の動作に対応する“０２”に変更する。
次に、時刻Ｔ１８において、電源電圧が動作可能な電圧Ｖｄ未満に低下するため、制御部１６は、動作を停止する。
【００６８】
なお、上述したように、図５において、時刻Ｔ１１から時刻Ｔ１４が第１の動作状態ＳＴ１に対応し、時刻Ｔ１５から時刻Ｔ１８までが第２の動作状態ＳＴ２に対応する。
また、時刻Ｔ１２から時刻Ｔ１３までが、第１の期間ＷＴ１に対応し、時刻Ｔ１６から時刻Ｔ１７までが、第２の期間ＷＴ２に対応する。
また、時刻Ｔ１６で、不揮発性記憶部１５の「書換前表示情報」をスイッチ部２の動作に対応する“０２”に変更してもよい。
【００６９】
次に、図６を参照して、リモコン装置１のスイッチ部２の押下の戻りが早い場合の動作について詳細に説明する。
図６は、本実施形態によるリモコン装置１のスイッチ部２の押下の戻りが早い場合の動作の一例を示すタイミングチャートである。
【００７０】
図６において、縦軸は、図５と同様に、上から順に、「自己発電部２２の発電電圧」、「電源電圧」、「制御部１６の動作」、「押下フラグ」、「表示書換情報」、「書換前表示情報」、「表示駆動部４の駆動動作」、及び「無線通信部３の動作」を示している。また、横軸は、図５と同様に時間を示している。
また、波形Ｗ３は、自己発電部２２の発電電圧の波形を示し、波形Ｗ４は、蓄電部１２が供給する電源電圧の波形を示している。
【００７１】
図６において、時刻Ｔ２１から時刻Ｔ２３までの動作は、上述した図５における時刻Ｔ１１から時刻Ｔ１３までの動作と同様であるため、ここではその説明を省略する。
また、時刻Ｔ２３において、スイッチ部２の押下の戻りが既に生じているため（図６の波形Ｗ３を参照）、制御部１６は、極性検出部１４の検出結果により自己発電部２２の発電の極性が反転した（極性が負電圧になった）ことを確認し、第２の動作状態ＳＴ２の処理を実行する。
【００７２】
制御部１６は、「押下フラグ」を“０”にするとともに、時刻Ｔ２４において、表示駆動部４を動作させて、電子ペーパーパネル５の表示の書き換えを実行する。すなわち、制御部１６は、不揮発性記憶部１５から、「書換前表示情報」の“０１”と「表示書換情報」の“０２”を読み出し、表示駆動部４の画像バッファ４１に、「書換前表示情報」の“０１”、「表示書換情報」の“０２”の順に供給して、それぞれ、書換前表示バッファと表示書換バッファとに書き込み、昇圧回路４２を動作させ、ドライブ回路４３から電子ペーパーパネル５に駆動信号の印加を開始させる。これにより、「表示駆動部４の駆動動作」が“動作”になる。
【００７３】
また、時刻Ｔ２５において、駆動信号の印加期間が、第２の期間ＷＴ２（例えば、書き換えに必要な期間の１／２の期間）に達すると、表示駆動部４は、駆動信号の印加を停止し、昇圧回路４２の動作を停止し、「表示駆動部４の駆動動作」が“停止”になる。
次に、制御部１６は、電子ペーパーパネル５の表示の書き換えが完了すると、不揮発性記憶部１５の「書換前表示情報」をスイッチ部２の動作に対応する“０２”に変更する。
次に、時刻Ｔ２６において、電源電圧が動作可能な電圧Ｖｄ未満に低下するため、制御部１６は、動作を停止する。
【００７４】
なお、上述したように、図６において、時刻Ｔ２１から時刻Ｔ２３が第１の動作状態ＳＴ１に対応し、時刻Ｔ２３から時刻Ｔ２６までが第２の動作状態ＳＴ２に対応する。
また、時刻Ｔ２２から時刻Ｔ２３までが、第１の期間ＷＴ１に対応し、時刻Ｔ２４から時刻Ｔ２５までが、第２の期間ＷＴ２に対応する。
また、時刻Ｔ２４で、不揮発性記憶部１５の「書換前表示情報」をスイッチ部２の動作に対応する“０２”に変更してもよい。
また、時刻Ｔ２４において、制御部１６に、「表示書換情報」と「書換前表示情報」が記憶されているので、不揮発性記憶部１５から、「書換前表示情報」の“０１”と「表示書換情報」の“０２”の読み出しを行わなくてもかまわないが、スイッチ部２の押下の戻りが遅い場合とプログラムを共通化するために、読み出しを行う方が好ましい。
【００７５】
以上説明したように、本実施形態によるリモコン装置１（電子機器）は、電子ペーパーパネル５（表示パネル）と、スイッチ部２と、自己発電部２２（発電部）と、不揮発性記憶部１５と、制御部１６とを備える。電子ペーパーパネル５は、駆動信号を印加することで表示の書き換えが可能であり、メモリ性を有する表示を行う。スイッチ部２は、ユーザーによる押下により操作される。自己発電部２２は、スイッチ部２が押下される際の動き、及びスイッチ部２が押下された状態から戻される際の動きに基づいて、電力を発電する。不揮発性記憶部１５は、少なくとも、スイッチ部２が押下された状態であるか否か示す押下フラグ（押下情報）を記憶する書き換え可能な記憶部である。制御部１６は、自己発電部２２が発電した電力により自装置が動作する制御部であって、不揮発性記憶部１５が記憶する押下フラグに基づいて、第１の動作状態ＳＴ１と、第２の動作状態ＳＴ２とのいずれの状態であるかを判定し、電子ペーパーパネル５の表示を、スイッチ部２の押下による操作に応じた情報に書き換える処理を、第１の動作状態ＳＴ１と、第２の動作状態ＳＴ２とで分割して実行する制御を行う。ここで、第１の動作状態ＳＴ１は、スイッチ部２が押下された後の動作状態である。また、第２の動作状態ＳＴ２は、スイッチ部２が戻された後の動作状態である。
【００７６】
これにより、本実施形態によるリモコン装置１は、第１の動作状態ＳＴ１と、第２の動作状態ＳＴ２とで分割して、電子ペーパーパネル５の表示を書き換える処理を実行するため、自己発電部２２が発電した電力をより有効に利用することができ、確実に電子ペーパーパネル５の表示を書き換えることができる。本実施形態によるリモコン装置１は、例えば、スイッチ部２を押下した後の保持期間が長い場合であっても、電子ペーパーパネル５の表示が不完全に書き換えることを低減することができる。よって、本実施形態によるリモコン装置１は、電子ペーパーパネル５の誤表示を低減することができる。
【００７７】
また、本実施形態では、制御部１６は、第１の動作状態ＳＴ１である場合に、駆動信号を第１の期間ＷＴ１、電子ペーパーパネル５に印加させるとともに、押下フラグとして、スイッチ部２が押下された状態であることを示す情報（例えば、“１”）を不揮発性記憶部１５に記憶させる。また、制御部１６は、第２の動作状態ＳＴ２である場合に、第１の期間と合算した印加期間が、電子ペーパーパネル５の書き換えに必要な期間以上になるように、駆動信号を第２の期間ＷＴ２、電子ペーパーパネル５に印加させるとともに、押下フラグとして、スイッチ部２が押下された状態でないことを示す情報（例えば、“０”）を不揮発性記憶部１５に記憶させる。
これにより、本実施形態によるリモコン装置１は、第１の動作状態ＳＴ１と第２の動作状態ＳＴ２とで押下フラグに異なる状態を記憶させることで、スイッチ部２を押下した後に電源電圧が低下して動作できなくなった場合であっても、電子ペーパーパネル５の表示を書き換えるための印加期間を確保することができる。よって、本実施形態によるリモコン装置１は、簡易な制御によって、電子ペーパーパネル５の誤表示を低減することができる。また、本実施形態によるリモコン装置１は、第１の期間ＷＴ１と第２の期間ＷＴ２とを合算した印加期間を長くできるので、高コントラストの画質が得られる。
【００７８】
また、本実施形態によるリモコン装置１は、制御対象装置２００（外部装置）にスイッチ部２の押下による操作に基づく送信情報を送信する送信部３１を備える。制御部１６は、第１の動作状態ＳＴ１において、送信部３１により送信情報を送信させる。
これにより、本実施形態によるリモコン装置１は、適切に制御対象装置２００（外部装置）を遠隔操作することができる。
【００７９】
また、本実施形態によるリモコン装置１は、自己発電部２２が発電した電力の電圧の極性を検出する極性検出部１４を備える。制御部１６は、極性検出部１４が検出した極性と、押下フラグとに基づいて、第１の動作状態ＳＴ１と、第２の動作状態ＳＴ２とのいずれの状態であるかを判定する。
これにより、本実施形態によるリモコン装置１は、極性検出部１４が検出した極性反転を用いて、第１の動作状態ＳＴ１と、第２の動作状態ＳＴ２とを判定するため、より正確に第１の動作状態ＳＴ１と、第２の動作状態ＳＴ２とを判定することができる。例えば、本実施形態によるリモコン装置１は、スイッチ部２を押下した後の保持期間が短い場合であっても、正確に第２の動作状態ＳＴ２になったことを判定することができ、正常に動作させることができる。
【００８０】
また、本実施形態では、不揮発性記憶部１５は、書き換え前の表示情報（例えば、書換前表示情報）をさらに記憶する。制御部１６は、電子ペーパーパネル５の表示を、操作に応じた情報に書き換える処理を実行する際に、不揮発性記憶部１５が記憶する書き換え前の表示情報からスイッチ部２の操作に応じた情報に変更になった部分の表示を書き換えるように、駆動信号を電子ペーパーパネル５に印加させる。
【００８１】
これにより、本実施形態によるリモコン装置１は、変更になった部分の表示を書き換え、変更になっていない部分の表示は書き換えないため、電子ペーパーパネル５の表示の書き換えのための電力量を低減することができる。よって、本実施形態によるリモコン装置１は、自己発電部２２が発電した電力をより有効に利用することができ、電子ペーパーパネル５の誤表示をさらに低減することができる。
【００８２】
また、本実施形態では、不揮発性記憶部１５は、書き換え前の表示情報（例えば、書換前表示情報）と、スイッチ部２の操作に応じた情報（例えば、表示書換情報）とをさらに記憶する。制御部１６は、第１の動作状態ＳＴ１において、スイッチ部２の操作に応じた情報（例えば、表示書換情報）を不揮発性記憶部１５に記憶させ、第２の動作状態ＳＴ２において、書き換え前の表示情報（例えば、書換前表示情報）をスイッチ部２の操作に応じた情報に更新させる。
これにより、本実施形態によるリモコン装置１は、例えば、スイッチ部２を押下した後に電源電圧が低下して動作できなくなり、第２の動作状態ＳＴ２において、スイッチ部２の操作に応じた情報を消失した場合であっても、不揮発性記憶部１５が、書き換え前の表示情報とスイッチ部２の操作に応じた情報とを記憶しているため、変更になった部分のみ表示を書き換えることができる。
【００８３】
また、本実施形態による表示装置１００は、電子ペーパーパネル５（表示パネル）と、自己発電部２２（発電部）と、不揮発性記憶部１５と、制御部１６とを備える。電子ペーパーパネル５は、駆動信号を印加することで表示の書き換えが可能であり、メモリ性を有する表示を行う。自己発電部２２は、ユーザーによる押下により操作されるスイッチ部２が押下される際の動き、及びスイッチ部２が押下された状態から戻される際の動きに基づいて、電力を発電する。不揮発性記憶部１５は、少なくとも、スイッチ部２が押下された状態であるか否か示す押下フラグを記憶する書き換え可能な記憶部である。自己発電部２２が発電した電力により自装置が動作する制御部であって、不揮発性記憶部１５が記憶する押下フラグに基づいて、スイッチ部２が押下された後の動作状態である第１の動作状態ＳＴ１と、スイッチ部２が戻された後の動作状態である第２の動作状態ＳＴ２とのいずれの状態であるかを判定する。制御部１６は、電子ペーパーパネル５の表示を、スイッチ部２の押下による操作に応じた情報に書き換える処理を、第１の動作状態ＳＴ１と、第２の動作状態ＳＴ２とで分割して実行する制御を行う。
これにより、本実施形態による表示装置１００は、上述したリモコン装置１と同様の効果を奏し、誤表示を低減し、高コントラストの画質を得ることができる。
【００８４】
［第２の実施形態］
次に、図面を参照して、第２の実施形態によるリモコン装置１ａ及び表示装置１００ａについて説明する。
【００８５】
図７は、第２の実施形態によるリモコン装置１ａの一例を示すブロック図である。
図７に示すように、リモコン装置１ａ（電子機器の一例）は、スイッチ部２ａと、無線通信部３と、表示駆動部４と、電子ペーパーパネル５と、整流部１１と、蓄電部１２と、リセット部１３と、電圧計測部１４ａと、不揮発性記憶部１５と、制御部１６ａとを備える。リモコン装置１ａは、無線通信を利用して、制御対象装置２００の操作を行う遠隔操作装置である。
【００８６】
本実施形態では、極性検出部１４の代わりに電圧計測部１４ａを備え、スイッチ部２ａが複数のトリガ出力部（２１−１、２１−２）を備える変形例について説明する。
なお、図７において、図１と同一の構成には、同一の符号を付与してその説明を省略する。また、図７において、各部に供給される電源電圧は太線で示し、デジタル系の信号と、電子ペーパーパネル５を駆動する駆動信号は、細線で示している。
【００８７】
また、本実施形態において、スイッチ部２ａと、表示駆動部４と、電子ペーパーパネル５と、整流部１１と、蓄電部１２と、リセット部１３と、電圧計測部１４ａと、不揮発性記憶部１５と、制御部１６ａとは、表示装置１００ａに対応する。
【００８８】
スイッチ部２ａは、例えば、スイッチや操作ボタンなどであり、ユーザーの操作を受け付ける。スイッチ部２ａは、例えば、電子ペーパーパネル５の表示を書き換える契機となる操作が行われる。
また、スイッチ部２ａは、トリガ出力部２１−１（第１のトリガ出力部）とトリガ出力部２１−２（第２のトリガ出力部）と、自己発電部２２とを備えている。
【００８９】
トリガ出力部２１−１及びトリガ出力部２１−２は、スイッチ部２ａのスイッチがユーザーによる押下により操作された場合に、トリガ信号として、スイッチ部２ａが押下されたことを示す情報（例えば、スイッチ番号）を出力する。
なお、トリガ出力部２１−１及びトリガ出力部２１−２は、同一の構成であり、スイッチ部２ａが備える任意のトリガ出力部を示す場合、又は特に区別しない場合には、トリガ出力部２１として説明する。
【００９０】
電圧計測部１４ａは、例えば、ＡＤコンバータであり、自己発電部２２が発電した電力を整流した電源電圧を計測する。すなわち、電圧計測部１４ａは、整流部１１が整流して、蓄電部１２を介して各部に供給される電源電圧を計測する。電圧計測部１４ａは、電源電圧の計測結果を、デジタル信号として、制御部１６ａに出力する。
【００９１】
制御部１６ａは、不図示のＣＰＵ及び記憶部を含み、リモコン装置１ａを統括的に制御する。制御部１６ａは、記憶部に記憶されたプログラムを実行させることで各種処理を実行する。なお、制御部１６ａの基本的な処理は、上述した第１の実施形態における制御部１６と同様であり、以下において、制御部１６と異なる処理を説明する。
【００９２】
制御部１６ａは、スイッチ部２ａの押下と、スイッチ部２ａの戻しとが連続して行われた場合には、再起動されないため、電圧計測部１４ａが計測した電源電圧に基づいて、第１の動作状態ＳＴ１から第２の動作状態ＳＴ２に移行したことを判定する。制御部１６ａは、電源電圧が、所定の電圧以上（例えば、３．２Ｖ以上）になった場合、且つ、押下フラグが“１”である場合に、第２の動作状態ＳＴ２であると判定する。この判定処理は、スイッチ部２ａの押下戻りによる発電により、電源電圧が所定の電圧（例えば、３．２Ｖ）以上になることを利用している。
【００９３】
このように、制御部１６ａは、電圧計測部１４ａが計測した電源電圧が、所定の電圧以上になった場合に、押下フラグに基づいて、第１の動作状態ＳＴ１と、第２の動作状態ＳＴ２とのいずれの状態であるかを判定する。
また、制御部１６ａは、第１の動作状態ＳＴ１と第２の動作状態ＳＴ２との両方において、無線通信部３の送信部３１により送信情報を送信させる。
制御部１６ａのその他の処理は、第１の実施形態と同様であるため、ここではその説明を省略する。
【００９４】
次に、図面を参照して、本実施形態によるリモコン装置１ａの動作について説明する。
図８は、本実施形態によるリモコン装置１ａの動作の一例を示すフローチャートである。
図８において、ステップＳ２０１からステップＳ２０８までの処理は、上述した図４に示すステップＳ１０１からステップＳ１０８までの処理と同様であるため、ここではその説明を省略する。なお、ステップＳ２０４において、制御部１６ａは、押下フラグが“０”でない（“１”である）場合（ステップＳ２０４：ＮＯ）に、処理をステップＳ２１３に進める。
なお、ステップＳ２０５では、例えば、スイッチ部２ａが、トリガ出力部２１−１またはトリガ出力部２１−２のどちらかの押されたスイッチ番号情報を送信情報として、送信部３１から制御対象装置２００へ送信させる。
また、表示書換情報は、トリガ出力部２１−１またはトリガ出力部２１−２のどちらかの押されたスイッチ番号情報となる。
【００９５】
また、ステップＳ２０９において、制御部１６ａは、電源電圧が所定の電圧以上であるか否かを確認する。すなわち、制御部１６ａは、電圧計測部１４ａの計測結果を確認して、電源電圧が所定の電圧Ｖｔ以上（例えば、３．２Ｖ以上）になったか否かを判定する。制御部１６ａは、電源電圧が所定の電圧Ｖｔ以上である場合（ステップＳ２０９：ＹＥＳ）に、スイッチ部２ａが戻されたと判定し、処理をステップＳ２１３に進める。なお、処理をステップＳ２１３に進める場合は、スイッチ部２ａの押下の戻りが早い場合に対応する。
【００９６】
また、制御部１６ａは、電源電圧が所定の電圧Ｖｔ未満である場合（ステップＳ２０９：ＮＯ）に、スイッチ部２ａが戻されていないと判定し、処理をステップＳ２１０に進める。
続くステップＳ２１０からステップＳ２１２までの処理は、上述した図４に示すステップＳ１１０からステップＳ１１２までの処理と同様であるため、ここではその説明を省略する。なお、ステップＳ２１０において、制御部１６ａは、電源電圧が動作下限電圧Ｖｄ以上（例えば、２．５Ｖ以上）である場合（ステップＳ２１０：ＮＯ）に、処理をステップＳ２０９に戻す。
【００９７】
また、ステップＳ２１３において、制御部１６ａは、ステップＳ２０５の処理と同様に、制御対象装置２００に送信情報を送信する。すなわち、制御部１６ａは、無線通信部３の送信部３１を動作させて、例えば、スイッチ部２ａが受け付けた操作に基づく操作情報（例えば、スイッチ番号）を送信情報として、送信部３１から制御対象装置２００へ送信させる。
なお、電源電圧が一度、動作下限電圧Ｖｄ以下になった場合、制御部１６aに記憶していた操作情報（例えば、スイッチ番号）が消えているので、不揮発性記憶部１５から、操作情報（例えば、表示書換情報）を読み出してから、操作情報（例えば、スイッチ番号）を送信情報として、送信部３１から制御対象装置２００へ送信させる。
続くステップＳ２１４からステップＳ２１６までの処理は、上述した図４に示すステップＳ１１３からステップＳ１１５までの処理と同様であるため、ここではその説明を省略する。
【００９８】
なお、上述した図８に示す処理において、ステップＳ２０２からステップＳ２０８までの処理が、第１の動作状態ＳＴ１に対応する。また、ステップＳ２０３からステップＳ２０４の処理を経由して、ステップＳ２１３からステップＳ２１６までの処理が、第２の動作状態ＳＴ２に対応する。
また、上述した図８に示す例では、制御部１６ａは、電圧計測部１４ａが計測した電源電圧と、押下フラグとに基づいて、第２の動作状態ＳＴ２であることを判定しているが、第１の動作状態ＳＴ１についても、電圧計測部１４ａが計測した電源電圧と、押下フラグとに基づいて判定してもよい。
【００９９】
次に、図９を参照して、リモコン装置１ａのスイッチ部２ａの押下の戻りが早い場合の動作について詳細に説明する。
図９は、本実施形態によるリモコン装置１ａのスイッチ部２ａの押下の戻りが早い場合の動作の一例を示すタイミングチャートである。
【０１００】
図９において、縦軸は、図６と同様に、上から順に、「自己発電部２２の発電電圧」、「電源電圧」、「制御部１６ａの動作」、「押下フラグ」、「表示書換情報」、「書換前表示情報」、「表示駆動部４の駆動動作」、及び「無線通信部３の動作」を示している。「押下フラグ」、「表示書換情報」、「書換前表示情報」は、不揮発性記憶部１５が記憶する各情報の状態を示し、また、横軸は、図６と同様に時間を示している。
また、図６と同様に、波形Ｗ３は、自己発電部２２の発電電圧の波形を示し、波形Ｗ４は、蓄電部１２が供給する電源電圧の波形を示している。
【０１０１】
図９において、時刻Ｔ３１から時刻Ｔ３３までの動作は、上述した図６における時刻Ｔ２１から時刻Ｔ２３までの動作と同様であるため、ここではその説明を省略する。
また、時刻Ｔ３３において、スイッチ部２ａの押下の戻りが既に生じているため（図９の波形Ｗ３を参照）、制御部１６ａは、電圧計測部１４ａの計測結果により電源電圧が所定の電圧Ｖｔ以上（例えば、３．２Ｖ以上）であることを確認し、第２の動作状態ＳＴ２の処理を実行する。
【０１０２】
また、時刻Ｔ３３において、制御部１６ａは、無線通信部３の送信部３１を動作させて、スイッチ部２ａの動作に対応するスイッチ番号（“０２”）を送信する。これにより、「無線通信部３の動作」が“送信”になる。
【０１０３】
次に、制御部１６ａは、送信部３１による送信が完了すると、「押下フラグ」を“０”にするとともに、時刻Ｔ３４において、表示駆動部４を動作させて、電子ペーパーパネル５の表示の書き換えを実行する。すなわち、制御部１６ａは、不揮発性記憶部１５から、「表示書換情報」の“０２”を読み出し、表示駆動部４の画像バッファ４１に、「書換前表示情報」の“０１”、「表示書換情報」の“０２”の順に供給して、それぞれ、書換前表示バッファと表示書換バッファとに書き込み、昇圧回路４２を動作させ、ドライブ回路４３から電子ペーパーパネル５に駆動信号の印加を開始させる。これにより、「表示駆動部４の駆動動作」が“動作”になる。
【０１０４】
また、時刻Ｔ３５において、駆動信号の印加期間が、第２の期間ＷＴ２（例えば、書き換えに必要な期間の１／２の期間）に達すると、表示駆動部４は、駆動信号の印加を停止し、昇圧回路４２の動作を停止し、「表示駆動部４の駆動動作」が“停止”になる。
次に、制御部１６ａは、電子ペーパーパネル５の表示の書き換えが完了すると、不揮発性記憶部１５の「書換前表示情報」をスイッチ部２ａの動作に対応する“０２”に変更する。
次に、時刻Ｔ３６において、電源電圧が動作可能な電圧Ｖｄ未満（例えば、２．５Ｖ未満）に低下するため、制御部１６ａは、動作を停止する。
【０１０５】
なお、上述したように、図９において、時刻Ｔ３１から時刻Ｔ３３が第１の動作状態ＳＴ１に対応し、時刻Ｔ３３から時刻Ｔ３６までが第２の動作状態ＳＴ２に対応する。
また、時刻Ｔ３２から時刻Ｔ３３までが、駆動信号を印加する第１の期間ＷＴ１に対応し、時刻Ｔ３４から時刻Ｔ３５までが、第２の期間ＷＴ２に対応する。
また、本実施形態によるリモコン装置１ａでは、第１の動作状態ＳＴ１と第２の動作状態ＳＴ２の２回、無線通信部３の送信部３１を動作させたが、どちらか１回だけ、無線通信部３を動作させてもかまわない。
【０１０６】
また、本実施形態によるリモコン装置１ａのスイッチ部２ａの押下の戻りが遅い場合の動作は、上述した図９と同様に第２の動作状態ＳＴ２において、送信処理が追加されている点を除いて、上述した図５に示す第１の実施形態と同様であるため、ここではその説明を省略する。
【０１０７】
以上説明したように、本実施形態によるリモコン装置１ａ及び表示装置１００ａは、上述した、電子ペーパーパネル５と、スイッチ部２ａと、自己発電部２２と、不揮発性記憶部１５と、制御部１６ａとを備える。
これにより、本実施形態によるリモコン装置１ａ及び表示装置１００ａは、第１の実施形態と同様の効果を奏し、電子ペーパーパネル５の誤表示を低減し、高コントラストの画質を得ることができる。
【０１０８】
また、本実施形態によるリモコン装置１ａは、自己発電部２２が発電した電力を整流した電源電圧を計測する電圧計測部１４ａを備える。制御部１６ａは、電圧計測部１４ａが計測した電源電圧が、所定の電圧以上になった場合に、押下フラグに基づいて、第１の動作状態ＳＴ１と、第２の動作状態ＳＴ２とのいずれの状態であるかを判定する。
これにより、本実施形態によるリモコン装置１ａは、電圧計測部１４ａが計測した電源電圧を用いて、第１の動作状態ＳＴ１と、第２の動作状態ＳＴ２とを判定するため、より正確に第１の動作状態ＳＴ１と、第２の動作状態ＳＴ２とを判定することができる。例えば、本実施形態によるリモコン装置１ａは、スイッチ部２ａを押下した後の保持期間が短い場合であっても、正確に第２の動作状態ＳＴ２になったことを判定することができ、正常に動作させることができる。
【０１０９】
［第３の実施形態］
次に、図面を参照して、第３の実施形態によるリモコン装置１ｂ及び表示装置１００ｂについて説明する。
【０１１０】
図１０は、第３の実施形態によるリモコン装置１ｂの一例を示すブロック図である。
図１０に示すように、リモコン装置１ｂ（電子機器の一例）は、スイッチ部２ａと、無線通信部３ａと、表示駆動部４と、電子ペーパーパネル５と、整流部１１と、蓄電部１２と、リセット部１３と、電圧計測部１４ａと、不揮発性記憶部１５と、制御部１６ｂとを備える。リモコン装置１ｂは、無線通信を利用して、制御対象装置２００の操作を行う遠隔操作装置である。
【０１１１】
本実施形態では、無線通信部３ａが受信部３２を備え、制御対象装置２００からの受信結果に応じて、第２の動作状態ＳＴ２の処理を変更する変形例について説明する。
なお、図１０において、図７と同一の構成には、同一の符号を付与してその説明を省略する。また、図１０において、各部に供給される電源電圧は太線で示し、デジタル系の信号と、電子ペーパーパネル５を駆動する駆動信号は、細線で示している。
【０１１２】
また、本実施形態において、スイッチ部２ａと、表示駆動部４と、電子ペーパーパネル５と、整流部１１と、蓄電部１２と、リセット部１３と、電圧計測部１４ａと、不揮発性記憶部１５と、制御部１６ｂとは、表示装置１００ｂに対応する。
【０１１３】
無線通信部３ａは、例えば、無線通信により、制御対象装置２００と通信する。無線通信部３ａは、スイッチ部２ａが受け付けた操作に基づく操作情報（送信情報）を、制御対象装置２００に送信するとともに、送信情報の送信を制御対象装置２００が正常に受信したことを示す受信情報（“返信”）を制御対象装置２００から受信する。無線通信部３ａは、送信部３１と、受信部３２とを備える。
【０１１４】
受信部３２は、制御対象装置２００から送信された“返信”を受信する。受信部３２は、制御対象装置２００に送信した送信情報を、制御対象装置２００が正常に受信したことを示す受信情報を、“返信”として受信する。
なお、本実施形態において、制御対象装置２００は、リモコン装置１ｂからの送信情報を受信した場合に、所定の期間、“返信”を送信し続けるものとする。
【０１１５】
制御部１６ｂは、不図示のＣＰＵ及び記憶部を含み、リモコン装置１ｂを統括的に制御する。制御部１６ｂは、記憶部に記憶されたプログラムを実行させることで各種処理を実行する。なお、制御部１６ｂの基本的な処理は、上述した第２の実施形態における制御部１６ａと同様であり、以下において、制御部１６ａと異なる処理を説明する。
【０１１６】
制御部１６ｂは、第１の動作状態ＳＴ１において、無線通信部３ａの送信部３１により送信情報を送信させ、第２の動作状態ＳＴ２において、無線通信部３ａの受信部３２により受信情報を受信させる。制御部１６ｂは、制御対象装置２００が送信情報を正常に受信したことを示す受信情報である“返信”を受信部３２が受信した場合に、スイッチ部２ａの押下による操作に応じた情報に書き換える駆動信号を第２の期間ＷＴ２、電子ペーパーパネル５に印加させる。また、制御部１６ｂは、制御対象装置２００が送信情報を正常に受信したことを示す受信情報である“返信”を受信部３２が受信できなかった場合に、スイッチ部２ａの押下による操作に応じた情報に変更する前の表示状態に戻すように、駆動信号を電子ペーパーパネル５に印加させる。
制御部１６ｂのその他の処理は、第２の実施形態と同様であるため、ここではその説明を省略する。
【０１１７】
次に、図面を参照して、本実施形態によるリモコン装置１ｂの動作について説明する。
図１１は、本実施形態によるリモコン装置１ｂの動作の一例を示すフローチャートである。
図１１において、ステップＳ３０１からステップＳ３１２までの処理は、上述した図８に示すステップＳ２０１からステップＳ２１２までの処理と同様であるため、ここではその説明を省略する。なお、ステップＳ３０４において、制御部１６ｂは、押下フラグが“０”でない（“１”である）場合（ステップＳ３０４：ＮＯ）に、処理をステップＳ３１３に進める。
【０１１８】
ステップＳ３１３において、制御部１６ｂは、制御対象装置２００から所定の期間、受信情報を受信する。すなわち、制御部１６ｂは、無線通信部３ａの受信部３２を動作させて、例えば、制御対象装置２００が送信情報を正常に受信したことを示す受信情報である“返信”を受信部３２により受信させる。
【０１１９】
次に、制御部１６ｂは、不揮発性記憶部１５の押下フラグを“０”に更新する（ステップＳ３１４）。すなわち、制御部１６ｂは、不揮発性記憶部１５の押下フラグに“０”を記憶させる。
次に、制御部１６ｂは、受信情報が正常受信されたか否かを判定する（ステップＳ３１５）。すなわち、制御部１６ｂは、制御対象装置２００が送信情報を正常に受信したことを示す受信情報である“返信”を受信したか否かを判定する。制御部１６ｂは、受信情報が正常受信された場合（ステップＳ３１５：ＹＥＳ）に、処理をステップＳ３１６に進める。また、制御部１６ｂは、受信情報が正常受信されていない場合（ステップＳ３１５：ＮＯ）に、処理をステップＳ３１８に進める。
【０１２０】
ステップＳ３１６及びステップＳ３１７の処理は、上述した図８に示すステップＳ２１５及びステップＳ２１６の処理と同様であるため、ここではその説明を省略する。
また、ステップＳ３１８において、制御部１６ｂは、電子ペーパーパネル５の表示を書換前表示状態に戻す処理を実行する。制御部１６ｂは、不揮発性記憶部１５が記憶する表示書換情報及び書換前表示情報を読み出し、表示駆動部４の画像バッファ４１に、通常とは逆の順番で、表示書換情報、書換前表示情報の順に供給し、それぞれ、書換前表示バッファと表示書換バッファとに書き込み、制御部１６ｂは、表示駆動部４の昇圧回路４２を動作させ、第３の期間（例えば、書き換えに必要な期間の１／２の期間）、ドライブ回路４３から駆動信号を電子ペーパーパネル５に印加し、その後、昇圧回路４２を停止する。あるいは、制御部１６ｂは、書換前表示情報と、表示書換情報と、通常の順番で画像バッファ４１に供給し、それぞれ、書換前表示バッファと表示書換バッファに書き込み後、制御部１６ｂは、白と黒を逆にする“反転コマンド”を表示駆動部４に送付してから、駆動信号を電子ペーパーパネル５に駆動信号を印加してもよい。
【０１２１】
この第３の期間より、第１の期間で書き換えた表示状態を、書き換え前の状態に戻すことができる。
なお、第３の期間は、上述した第１の動作状態ＳＴ１の書き換え期間である第１の期間と同等以上の期間である。ステップＳ３１８の処理後に、制御部１６ｂは、処理を終了する。
【０１２２】
なお、上述した図１１に示す処理において、ステップＳ３０２からステップＳ３０８までの処理が、第１の動作状態ＳＴ１に対応する。また、ステップＳ３０３からステップＳ３０４の処理を経由して、ステップＳ３１３からステップＳ３１８までの処理が、第２の動作状態ＳＴ２に対応する。
【０１２３】
次に、図１２及び図１３を参照して、リモコン装置１ｂのスイッチ部２ａの押下の戻りが遅い場合の動作について詳細に説明する。
図１２は、本実施形態によるリモコン装置１ｂのスイッチ部２ａの押下の戻りが遅い場合、且つ、制御対象装置２００が正常受信した場合の動作の一例を示すタイミングチャートである。
【０１２４】
図１２において、縦軸は、図５と同様に、上から順に、「自己発電部２２の発電電圧」、「電源電圧」、「制御部１６ｂの動作」、「押下フラグ」、「表示書換情報」、「書換前表示情報」、「表示駆動部４の駆動動作」、及び「無線通信部３ａの動作」を示している。
「押下フラグ」、「表示書換情報」、「書換前表示情報」は、不揮発性記憶部１５が記憶する各情報の状態を示し、また、横軸は、図５と同様に時間を示している。
【０１２５】
また、図５と同様に、波形Ｗ１は、自己発電部２２の発電電圧の波形を示し、波形Ｗ２は、蓄電部１２が供給する電源電圧の波形を示している。
【０１２６】
図１２において、時刻Ｔ４１から時刻Ｔ４５までの動作は、上述した図５における時刻Ｔ１１から時刻Ｔ１５までの動作と同様であるため、ここではその説明を省略する。
また、時刻Ｔ４５において、制御部１６ａは、第２の動作状態ＳＴ２の処理を開始し、無線通信部３ａの受信部３２を動作させて、時刻Ｔ４６まで受信情報を受信する。これにより、「無線通信部３ａの動作」が“受信”になる。なお、図１２に示す例では、受信情報は、制御対象装置２００によって正常に受信されたものとする。
【０１２７】
また、時刻Ｔ４６において、制御部１６ｂは、「押下フラグ」を“０”にするとともに、受信情報は、正常に受信されたため、表示駆動部４を動作させて、スイッチ部２ａの押下による操作に応じた情報に電子ペーパーパネル５の表示の書き換える処理を実行する。すなわち、制御部１６ｂは、表示駆動部４の画像バッファ４１に、「書換前表示情報」の“０１”、「表示書換情報」の“０２”の順に供給して、それぞれ、書換前表示バッファと表示書換バッファに書き込み、昇圧回路４２を動作させ、ドライブ回路４３から電子ペーパーパネル５に駆動信号の印加を開始させる。これにより、「表示駆動部４の駆動動作」が“動作”になる。
【０１２８】
また、時刻Ｔ４７において、駆動信号の印加期間が、第２の期間ＷＴ２（例えば、書き換えに必要な期間の１／２の期間）に達すると、表示駆動部４は、駆動信号の印加を停止し、昇圧回路４２を停止し、「表示駆動部４の駆動動作」が“停止”になる。
次に、制御部１６ｂは、電子ペーパーパネル５の表示の書き換えが完了すると、不揮発性記憶部１５の「書換前表示情報」をスイッチ部２ａの動作に対応する“０２”に変更する。
次に、時刻Ｔ４８において、電源電圧が動作可能な電圧Ｖｄ未満に低下するため、制御部１６ｂは、動作を停止する。
【０１２９】
なお、上述したように、図１２において、時刻Ｔ４１から時刻Ｔ４４が第１の動作状態ＳＴ１に対応し、時刻Ｔ４５から時刻Ｔ４８までが第２の動作状態ＳＴ２に対応する。
また、時刻Ｔ４２から時刻Ｔ４３までが、第１の期間ＷＴ１に対応し、時刻Ｔ４６から時刻Ｔ４７までが、第２の期間ＷＴ２に対応する。
【０１３０】
また、図１３は、本実施形態によるリモコン装置１ｂのスイッチ部２ａの押下の戻りが遅い場合、且つ、制御対象装置２００が正常受信していない場合の動作の一例を示すタイミングチャートである。
【０１３１】
図１３において、縦軸は、図１２と同様に、上から順に、「自己発電部２２の発電電圧」、「電源電圧」、「制御部１６ｂの動作」、「押下フラグ」、「表示書換情報」、「書換前表示情報」、「表示駆動部４の駆動動作」、及び「無線通信部３ａの動作」を示している。また、横軸は、図１２と同様に時間を示している。
【０１３２】
また、図１２と同様に、波形Ｗ１は、自己発電部２２の発電電圧の波形を示し、波形Ｗ２は、蓄電部１２が供給する電源電圧の波形を示している。
【０１３３】
図１３において、時刻Ｔ５１から時刻Ｔ５６までの動作は、上述した図１２における時刻Ｔ４１から時刻Ｔ４６までの動作と同様であるため、ここではその説明を省略する。
なお、図１３に示す例では、受信情報は、制御対象装置２００によって正常に受信されていないものとする。
【０１３４】
また、時刻Ｔ５６において、制御部１６ｂは、「押下フラグ」を“０”にするとともに、受信情報は、正常に受信されていないため、表示駆動部４を動作させて、電子ペーパーパネル５の表示を書き換え前の表示に戻す処理を実行する。すなわち、制御部１６ｂは、表示駆動部４の画像バッファ４１に、第１の動作状態ＳＴ１とは逆に、「表示書換情報」の“０２”、「書換前表示情報」の“０１”の順に供給して、それぞれ、書換前表示バッファと表示書換バッファとに書き込み、昇圧回路４２を動作させ、ドライブ回路４３から電子ペーパーパネル５に駆動信号の印加を開始させる。これにより、「表示駆動部４の駆動動作」が“動作”となり、第１の動作状態ＳＴ１で変化した表示画素が、第１の動作状態ＳＴ１の動作前の状態に戻る。
【０１３５】
また、時刻Ｔ５７において、駆動信号の印加期間が、第３の期間ＷＴ３（例えば、書き換えに必要な期間の１／２の期間）に達すると、表示駆動部４は、駆動信号の印加を停止し、昇圧回路４２を停止し、「表示駆動部４の駆動動作」が“停止”になる。
次に、時刻Ｔ５８において、電源電圧が動作可能な電圧Ｖｄ未満に低下するため、制御部１６ｂは、動作を停止する。
なお、この図１３に示す例では、電子ペーパーパネル５の表示を戻しているため、制御部１６ｂは、「書換前表示情報」の更新を実行しない。
【０１３６】
また、上述したように、図１３において、時刻Ｔ５１から時刻Ｔ５４が第１の動作状態ＳＴ１に対応し、時刻Ｔ５５から時刻Ｔ５８までが第２の動作状態ＳＴ２に対応する。
また、時刻Ｔ５２から時刻Ｔ５３までが、第１の期間ＷＴ１に対応し、時刻Ｔ５６から時刻Ｔ５７までが、第３の期間ＷＴ３に対応する。
【０１３７】
また、本実施形態によるリモコン装置１ａのスイッチ部２ａの押下の戻りが早い場合の動作は、第２の実施形態と同様に、電圧計測部１４ａが計測した電源電圧が、所定の電圧以上になった場合に、第２の動作状態ＳＴ２になったことの判定処理が追加される。その他は、上述した図１２及び図１３の動作と同様であるため、ここではその説明を省略する。
【０１３８】
以上説明したように、本実施形態によるリモコン装置１ｂ及び表示装置１００ｂは、上述した、電子ペーパーパネル５と、スイッチ部２ａと、自己発電部２２と、電圧計測部１４ａと、不揮発性記憶部１５と、制御部１６ｂとを備える。
これにより、本実施形態によるリモコン装置１ｂ及び表示装置１００ｂは、第２の実施形態と同様の効果を奏し、電子ペーパーパネル５の誤表示を低減し、高コントラストの画質を得ることができる。
【０１３９】
また、本実施形態によるリモコン装置１ｂは、制御対象装置２００から送信された情報を受信情報として受信する受信部３２を備える。制御部１６ｂは、第２の動作状態ＳＴ２において、受信部３２を動作させ、制御対象装置２００が送信情報を正常に受信したことを示す受信情報を受信部３２が受信した場合に、スイッチ部２ａの押下による操作に応じた情報に書き換える駆動信号を第２の期間ＷＴ２、電子ペーパーパネル５に印加させる。
制御対象装置２００が送信情報を正常に受信したことを示す受信情報を受信部３２が受信できなかった場合に、電子ペーパーパネル５の表示を、スイッチ部２ａの押下による操作に応じた情報に変更する前の表示状態に戻すように、駆動信号を電子ペーパーパネル５に印加させる。
【０１４０】
これにより、本実施形態によるリモコン装置１ｂは、制御対象装置２００の操作された状態と、電子ペーパーパネル５の表示している状態とが不一致になることを低減することができる。よって、本実施形態によるリモコン装置１ｂは、電子ペーパーパネル５の誤表示をさらに低減することができる。
【０１４１】
なお、本発明は、上記の各実施形態に限定されるものではなく、本発明の趣旨を逸脱しない範囲で変更可能である。
例えば、上記の各実施形態は、各実施形態の一部又は全部を組み合わせて実施するようにしてもよい。
また、上記の各実施形態において、電子ペーパーパネル５は、セグメントタイプの表示パネルである例を説明したが、これに限定されるものではなく、ドットマトリックスタイプの表示パネルであってもよい。
【０１４２】
また、上記の各実施形態において、表示駆動部４は、図５に示すように駆動信号として３値を同時に出力して表示の書き換えを行う例を説明したが、これに限定されるものではなく、駆動信号として２値（例えば、＋１５Ｖと０Ｖと）を出力して表示の書き換えを行うようにしてもよい。
また、上記の各実施形態において、電子ペーパーパネル５を書換前表示状態から変更になった部分の表示画素のみ書き換える例を説明したが、これに限定されるものではなく、書換前表示状態に関係なく、表示画素をそれぞれ白又は黒に書き換えるようにしてもよい。この場合、不揮発性記憶部１５に書換前表示情報を記憶させる必要がなくなる。
【０１４３】
また、上記の各実施形態において、電子ペーパーパネル５の表示色が、白と黒との２色である例を説明したが、これに限定されるものではなく、他の色で、且つ、３色以上であってもよい。
また、上記の各実施形態において、スイッチ部２（２ａ）は、トリガ出力部２１を１つ又は２つ備える例を説明したが、３つ以上の複数のトリガ出力部２１を備えるようにしてもよい。
【０１４４】
また、上記の各実施形態において、電子機器の一例として、リモコン装置１（１ａ、１ｂ）である例を説明したが、外部装置との間で通信するものであれば、他の電子機器であってもよい。
また、上記の各実施形態において、無線通信部３（３ａ）が、通信部の一例として無線通信により制御対象装置２００と通信する例を説明したが、これに限定されるものではなく、通信部は、有線通信により制御対象装置２００と通信するようにしてもよい。
【０１４５】
また、上記の各実施形態において、蓄電部１２がコンデンサである例を説明したが、これに限定されるものではなく、２次電池やスーパ−キャパシタであってもよい。
また、上記の第３の実施形態において、制御部１６ｂは、第１の動作状態ＳＴ１において、送信部３１による送信を実行させ、第２の動作状態ＳＴ２において、受信部３２による受信を実行させる例を説明したが、これに限定されるものではない。例えば、制御部１６ｂは、第１の動作状態ＳＴ１又は第２の動作状態ＳＴ２、或いは両方において、送信及び受信を実行させるようにしてもよい。
【０１４６】
また、上述した機能の一部又は全部を、ＬＳＩ（Large Scale Integration）等の集積回路として実現してもよい。上述した各機能は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【符号の説明】
【０１４７】
１、１ａ、１ｂ  リモコン装置
２  スイッチ部
３、３ａ  無線通信部
４  表示駆動部
５  電子ペーパーパネル
１１  整流部
１２  蓄電部
１３  リセット部
１４  極性検出部
１４ａ  電圧計測部
１５  不揮発性記憶部
１６、１６ａ、１６ｂ  制御部
２１、２１−１、２１−２  トリガ出力部
２２  自己発電部
３１  送信部
３２  受信部
４１  画像バッファ
４２  昇圧回路
４３  ドライブ回路
１００、１００ａ、１００ｂ  表示装置
２００  制御対象装置
【図１】
2020126150.tif 000003
【図２】
2020126150.tif 000004
【図３】
2020126150.tif 000005
【図４】
2020126150.tif 000006
【図５】
2020126150.tif 000007
【図６】
2020126150.tif 000008
【図７】
2020126150.tif 000009
【図８】
2020126150.tif 000010
【図９】
2020126150.tif 000011
【図１０】
2020126150.tif 000012
【図１１】
2020126150.tif 000013
【図１２】
2020126150.tif 000014
【図１３】
2020126150.tif 000015